(57)【要約】【課題】  カラープルーフの色の再現性を向上し、出力の自動化を推進することが可能な画像変換方法、この方法を実行するコンピュータプログラム、このコンピュータプログラムを記録した情報記録媒体、画像変換装置および画像出力システムを提供する。【解決手段】  設定手段３０１を用いて出力条件／カラー情報対照表の設定を行う。画像変換装置３のＣＰＵ３１は、条件入力手段３０２を実行して出力条件を入力し、色情報取得手段３０３を実行して特色名をメインメモリ３２に記憶する。そして、選択手段３０４を実行して上記対照表から出力条件と特色名とに対応するカラー情報を選択し、形成手段３０５を実行して色調整情報を形成する。更に、出力制御手段３０６を実行してカラープルーフ出力装置４を制御する出力制御信号を生成し、画像データとともにカラープルーフ出力装置４に送信する。【選択図】      図１
2005088443.tif 000002
【特許請求の範囲】
【請求項１】
デジタル編集が施された印刷物の画像データを、その印刷物のカラープルーフを出力するための画像データに変換する画像変換方法において、
前記カラープルーフで表現可能な色の発色を決定するカラー情報を、前記印刷物を印刷出力するときの出力条件と関連付けて、あらかじめ設定し保存するための設定ステップと、
所望の印刷物のカラープルーフを出力するときに、前記所望の印刷物の前記出力条件を入力するための条件入力ステップと、
前記所望の印刷物の前記カラープルーフに含まれる色の種類を特定する情報を取得するための色情報取得ステップと、
前記設定ステップで設定された前記カラー情報から、前記条件入力ステップで入力された前記出力条件と、前記色情報取得ステップで取得された前記色の種類を特定する前記情報とに関連付けられたカラー情報を選択する選択ステップと、
前記選択ステップで選択された前記カラー情報を基に、前記カラープルーフを出力するための前記画像データを形成する形成ステップと、
を備えることを特徴とする画像変換方法。
【請求項２】
前記設定ステップで設定される、前記カラー情報が関連付けられた前記出力条件は、前記印刷物が印刷される用紙の種類および／または前記印刷物の印刷出力を行う印刷機の種類を含んでいることを特徴とする請求項１記載の画像変換方法。
【請求項３】
デジタル編集が施された印刷物の画像データを、その印刷物のカラープルーフを出力するための画像データに変換する画像変換方法において、
前記カラープルーフで表現可能な色の発色を決定するカラー情報を、前記カラープルーフを出力するときの出力条件と関連付けて、あらかじめ設定し保存するための設定ステップと、
所望の印刷物のカラープルーフを出力するときに、当該カラープルーフの前記出力条件を入力するための条件入力ステップと、
前記所望の印刷物の前記カラープルーフに含まれる色の種類を特定する情報を取得するための色情報取得ステップと、
前記設定ステップで設定された前記カラー情報から、前記条件入力ステップで入力された前記出力条件と、前記色情報取得ステップで取得された前記色の種類を特定する前記情報とに関連付けられたカラー情報を選択する選択ステップと、
前記選択ステップで選択された前記カラー情報を基に、前記カラープルーフを出力するための前記画像データを形成する形成ステップと、
を備えることを特徴とする画像変換方法。
【請求項４】
前記設定ステップで設定される、前記カラー情報が関連付けられた前記出力条件は、前記カラープルーフが出力される用紙の種類および／または前記カラープルーフを出力するカラープルーフ出力装置の種類を含んでいることを特徴とする請求項３記載の画像変換方法。
【請求項５】
前記設定ステップで設定される前記カラー情報は、前記カラープルーフで表現可能な特色のカラー情報を含んでいることを特徴とする請求項１ないし請求項４のいずれかに記載の画像変換方法。
【請求項６】
前記所望の印刷物の前記カラープルーフに含まれるプロセスカラーのカラー情報を入力するプロセスカラー入力ステップと、
前記選択ステップで選択された前記特色の前記カラー情報と、前記プロセスカラー入力ステップで入力された前記プロセスカラーの前記カラー情報とを用いて、前記特色の前記プロセスカラーにおける色分解情報を取得する色分解ステップと、
を更に備えていることを特徴とする請求項５記載の画像変換方法。
【請求項７】
前記形成ステップは、前記色分解ステップで取得された前記色分解情報を基に、前記カラープルーフを出力するための前記画像データを形成することを特徴とする請求項６記載の画像変換方法。
【請求項８】
前記設定ステップで保存される前記カラー情報は、前記カラープルーフで表現される前記色の出力の濃度、前記色のＬ＊ａ＊ｂ＊色空間における座標値、前記色をプロセスカラーに色分解したときの数値、および、前記色をＲＧＢに変換したときの数値のいずれかを含んでいることを特徴とする請求項１ないし請求項７のいずれかに記載の画像変換方法。
【請求項９】
前記カラープルーフの出力を行うカラープルーフ出力装置は、感光材料である銀塩ペーパーに露光処理を施すことによって前記出力を行うよう構成されており、
前記形成ステップで形成された前記画像データを基に、前記カラープルーフ出力装置の前記露光処理における露光光量を制御するための信号を生成し、前記カラープルーフ出力装置に出力する出力制御ステップを更に備えることを特徴とする請求項１ないし請求項８のいずれかに記載の画像変換方法。
【請求項１０】
前記形成ステップは、カラープルーフで表現される色を調整するための色調整情報を前記画像データに付加することを特徴とする請求項１ないし請求項９のいずれかに記載の画像変換方法。
【請求項１１】
デジタル編集が施された印刷物の画像データを、その印刷物のカラープルーフを出力するための画像データに変換するためのコンピュータプログラムであって、
請求項１ないし請求項１０のいずれかに記載の画像変換方法を実行することを特徴とするコンピュータプログラム。
【請求項１２】
デジタル編集が施された印刷物の画像データを、その印刷物のカラープルーフを出力するための画像データに変換するためのコンピュータプログラムを記録した情報記録媒体であって、
請求項１１記載のコンピュータプログラムを記録したことを特徴とする情報記録媒体。
【請求項１３】
デジタル編集が施された印刷物の画像データを、その印刷物のカラープルーフを出力するための画像データに変換する画像変換装置において、
前記カラープルーフで表現可能な色の発色を決定するカラー情報を、前記印刷物を印刷出力するときの出力条件と関連付けて、あらかじめ設定し保存するための設定手段と、
所望の印刷物のカラープルーフを出力するときに、前記所望の印刷物の前記出力条件を入力するための条件入力手段と、
前記所望の印刷物の前記カラープルーフに含まれる色の種類を特定する情報を取得するための色情報取得手段と、
前記設定手段により設定された前記カラー情報から、前記条件入力手段により入力された前記出力条件と、前記色情報取得手段により取得された前記色の種類を特定する前記情報とに関連付けられたカラー情報を選択する選択手段と、
前記選択手段により選択された前記カラー情報を基に、前記カラープルーフを出力するための前記画像データを形成する形成手段と、
を備えることを特徴とする画像変換装置。
【請求項１４】
デジタル編集が施された印刷物の画像データを、その印刷物のカラープルーフを出力するための画像データに変換する画像変換装置において、
前記カラープルーフで表現可能な色の発色を決定するカラー情報を、前記カラープルーフを出力するときの出力条件と関連付けて、あらかじめ設定し保存するための設定手段と、
所望の印刷物のカラープルーフを出力するときに、当該カラープルーフの前記出力条件を入力するための条件入力手段と、
前記所望の印刷物の前記カラープルーフに含まれる色の種類を特定する情報を取得するための色情報取得手段と、
前記設定手段により設定された前記カラー情報から、前記条件入力手段により入力された前記出力条件と、前記色情報取得手段により取得された前記色の種類を特定する前記情報とに関連付けられたカラー情報を選択する選択手段と、
前記選択手段により選択された前記カラー情報を基に、前記カラープルーフを出力するための前記画像データを形成する形成手段と、
を備えることを特徴とする画像変換装置。
【請求項１５】
前記設定手段により設定される前記カラー情報は、前記カラープルーフで表現可能な特色のカラー情報を含んでいることを特徴とする請求項１３または請求項１４に記載の画像変換装置。
【請求項１６】
前記所望の印刷物の前記カラープルーフに含まれるプロセスカラーのカラー情報を入力するためのプロセスカラー入力手段と、
前記選択手段により選択された前記特色の前記カラー情報と、前記プロセスカラー入力手段により入力された前記プロセスカラーの前記カラー情報とを用いて、前記特色の前記プロセスカラーにおける色分解情報を取得する色分解手段と、を更に備えていることを特徴とする請求項１５記載の画像変換装置。
【請求項１７】
前記形成手段は、前記色分解手段により取得された前記色分解情報を基に、前記カラープルーフを出力するための前記画像データを形成することを特徴とする請求項１６記載の画像変換装置。
【請求項１８】
デジタル編集が施された印刷物の画像データを、その印刷物のカラープルーフを出力するための画像データに変換するための画像変換装置と、この画像変換装置により変換された前記画像データを基に前記印刷物のカラープルーフを出力するカラープルーフ出力装置と、を含んで構成される画像出力システムにおいて、
前記画像変換装置は、
前記カラープルーフ出力装置によって表現可能な色の発色を決定するカラー情報を、前記印刷物を印刷出力するときの出力条件と関連付けて、あらかじめ設定し保存するための設定手段と、
所望の印刷物のカラープルーフを出力するときに、前記所望の印刷物の前記出力条件を入力するための条件入力手段と、
前記所望の印刷物の前記カラープルーフに含まれる色の種類を特定する情報を取得するための色情報取得手段と、
前記設定手段により設定された前記カラー情報から、前記条件入力手段により入力された前記出力条件と、前記色情報取得手段により取得された前記色の種類を特定する前記情報とに関連付けられたカラー情報を選択する選択手段と、
前記選択手段により選択された前記カラー情報を基に、前記カラープルーフを出力するための前記画像データを形成する形成手段と、
を備えることを特徴とする画像出力システム。
【請求項１９】
デジタル編集が施された印刷物の画像データを、その印刷物のカラープルーフを出力するための画像データに変換するための画像変換装置と、この画像変換装置により変換された前記画像データを基に前記印刷物のカラープルーフを出力するカラープルーフ出力装置と、を含んで構成される画像出力システムにおいて、
前記画像変換装置は、
前記カラープルーフで表現可能な色の発色を決定するカラー情報を、前記カラープルーフを出力するときの出力条件と関連付けて、あらかじめ設定し保存するための設定手段と、
所望の印刷物のカラープルーフを出力するときに、当該カラープルーフの前記出力条件を入力するための条件入力手段と、
前記所望の印刷物の前記カラープルーフに含まれる色の種類を特定する情報を取得するための色情報取得手段と、
前記設定手段により設定された前記カラー情報から、前記条件入力手段により入力された前記出力条件と、前記色情報取得手段により取得された前記色の種類を特定する前記情報とに関連付けられたカラー情報を選択する選択手段と、
前記選択手段により選択された前記カラー情報を基に、前記カラープルーフを出力するための前記画像データを形成する形成手段と、
を備えることを特徴とする画像出力システム。
【請求項２０】
前記カラープルーフ出力装置は、感光材料である銀塩ペーパーに露光処理を施すための光学ユニットを備え、
前記画像変換装置は、前記形成手段により形成された前記画像データを基に、前記光学ユニットによる前記銀塩ペーパーに対する露光光量を制御するための信号を生成し、この信号を前記カラープルーフ出力装置に出力する出力制御手段を更に備えることを特徴とする請求項１８または請求項１９に記載の画像出力システム。
【発明の詳細な説明】
【技術分野】
【０００１】
本発明は、デジタルカラー画像を出力するための画像変換方法、この方法を実行するコンピュータプログラム、このコンピュータプログラムを記録した情報記録媒体、画像変換装置および画像出力システムに関し、より詳しくは、特色を含む印刷物の校正に用いられるカラープルーフを出力するための画像変換方法、この方法を実行するコンピュータプログラム、このコンピュータプログラムを記録した情報記録媒体、画像変換装置および画像出力システムに関する。
【背景技術】
【０００２】
従来、印刷工業分野においては、平台校正機で校正刷りを行う方式や、フィルムと銀塩ペーパーとを密着多重露光させてカラー画像を取得する方式などにより、最終的なカラー印刷物のレイアウト、文字等の仕上がり具合や色調などを実際に印刷する前に確認し校正を行うのが一般的であった。
【０００３】
近年では、デジタル技術の急速な進歩に伴い、デジタルデータをコンピュータ上で処理して製版作業を行うＤＴＰ（Ｄｅｓｋ Ｔｏｐ Ｐｕｂｌｉｓｈｉｎｇ）が広く普及している。また、画像出力の方式も、デジタルデータを直接フィルム上に結像させるイメージセッタや、直接刷版上に結像させるＣＴＰ（Ｃｏｍｐｕｔｅｒ Ｔｏ Ｐｌａｔｅ）などが中心を担うようになってきた。このデジタル化の傾向に促されるように、カラー印刷物の校正物の作成もＤＣＣＰ（Ｄｉｒｅｃｔ Ｄｉｇｉｔａｌ Ｃｏｌｏｒ Ｐｒｏｏｆ）方式が主流となってきている。ＤＣＣＰ方式の具体的手法としては、インキシートをレーザで露光して転写を行いカラープルーフ（多色刷り見本）を出力するものや、銀塩ペーパーをレーザで露光してカラープルーフを出力するものなどが広く用いられている。なお、ＤＣＣＰは、通常、印刷インキの基本色であるＣ（シアン）版、Ｍ（マゼンタ）版、Ｙ（イエロー）版およびＫ（ブラック）版に色分解されたデータに基づいてカラープルーフの作成が行われる。
【０００４】
下記の特許文献１には、インキシートをレーザで露光し転写する手法を採用した装置の一例が開示されている。当該文献に記載された装置は、制御部による制御に従い、出力画像の画像情報に応じて変調させたレーザ光により回転ドラムにロードされたドナーシート（インキシート）を露光し、その色材を重ね合わされたレシーバシートに転写するための露光部を備えている。このような処理によりカラープルーフが出力されるようになっている。
【０００５】
この手法は、印刷時と同一の用紙を用いることができるので用紙の地色に関する処理が必要なく、またインキの色に合わせた顔料からなるインキシートを用いることによりカラープルーフの発色を印刷物のそれに一致させることができるなどのアドバンテージを有する一方、インキの種類ごとにインキシートの組を用意しておく必要があり、保管上の問題やコスト面での問題がある。また、基本色Ｃ、Ｍ、Ｙ、Ｋの組み合わせでは正確に再現することが不可能なため、特別にインキを調合して作成される標準的でない色（特色と呼ばれる。例えばメタリックや蛍光色など。）の出力に対応できないために、ＲＩＰ（Ｒａｓｔｅｒ Ｉｍａｇｅ Ｐｒｏｃｅｓｓｏｒ）によって基本色の組み合わせで表現することにより特色を再現するようになっている。
【０００６】
また、特許文献２には、銀塩ペーパーにレーザで露光する手法を採用した装置の一例が開示されている。当該文献に記載された装置には、レッドレーザ光源、グリーンレーザ光源およびブルーレーザ光源を備えた光学ユニットと、銀塩ペーパーを吸着し回動可能に構成されたドラムを備えた主走査部と、光学ユニットをドラムの回動方向と直交する方向に走査するための副走査部とが設けられ、ドラムに吸着された銀塩ペーパーをＲ、Ｇ、Ｂのレーザ光量を調整しながら露光処理してカラープルーフを出力するようになっている。
【０００７】
このような銀塩ペーパーによるカラープルーフでは、Ｃ、Ｍ、Ｙ、Ｋの各ドットの発色は感光層の発色によって決まるため、発色方法の違いや用紙の違いなどにより、実際に印刷されたときの色調や濃度と同一にならない場合がある。そのため、銀塩ペーパーの発色成分は変えずに、ＲＩＰによって網点の大きさや基本色Ｃ、Ｍ、Ｙ、Ｋの掛け合わせの割合を変更することにより、カラープルーフで再現する色の印象を実際の印刷物に一致させるようになっている。このような処理をカラーマネジメントと称することがある。
【０００８】
また、銀塩ペーパーを使用しているため、Ｒ、Ｇ、Ｂのレーザ光量を調整して出力することにより特色を近似的に表現することが可能である。
【０００９】
更に近年では、実際の印刷物を測色し、この結果に応じて測色された色に対応するＣ、Ｍ、Ｙ、Ｋによる表現を決定し、その色を露光して再現する際のレーザ光量を制御することによりカラープルーフの再現精度を向上させる手法が用いられている。この手法によりカラープルーフを出力する装置の一例としては、特許文献３に記載されたものがある。この装置は、網％データに基づいて印刷されたカラーパッチ画像を構成する各カラーパッチを測色計で測定して、Ｃ、Ｍ、Ｙ、Ｋの色空間上の座標値とＬ＊ａ＊ｂ＊色空間上の座標値との対応関係を取得するとともに、パーソナルコンピュータにより順次発生されたＲＧＢ３色の画像データに基づいて作成されたカラーパッチ画像を構成する各カラーパッチを測色計で測色して、ＲＧＢの色空間上の座標値とＬ＊ａ＊ｂ＊色空間上の座標値との対応関係を取得するよう構成されている。そして、これらの対応関係に基づいてカラープルーフの出力を制御するようになっている。
【００１０】
なお、特色については、特色名とその特色の網％が１００％の場合のベタのパッチのＬ＊ａ＊ｂ＊色空間の座標値との対応関係を取得して、カラープルーフの出力制御を行うようになっている。
【００１１】
ところで、印刷物には、その視覚的効果を高めるため等の理由から多数の種類の特色が使用されている。一方、カラープルーフを出力するための装置（以下、カラープルーフ出力装置と称する。）によって一度に出力可能な特色は、数種類（例えば２色）に限定されているのが通常である。したがって、出力に係るカラープルーフに応じて、使用する特色およびその特色に関するカラー情報を選択設定する必要があった。出力の度毎にこのような操作を行うことは、非常に手間の掛かるものである。また、カラープルーフ出力装置による出力処理の自動化を妨げる一つの要因にもなっている。ここで、カラー情報とは、その色（特に特色）を表現するための出力制御に関する情報であって、例えばその色の濃度、Ｌ＊ａ＊ｂ＊色空間における座標値、基本色ＣＭＹＫにおける数値、ＲＧＢにおける数値などがある。
【００１２】
また、同じ特色を出力する場合でも、プルーフターゲットの印刷条件や印刷用紙の種類などによってカラー情報が異なり、このような条件も加味して設定をしなければならないので、出力時の設定は更に煩わしいものとなっており、設定のための情報管理も煩雑なものとなっていた。
【００１３】
【特許文献１】特開平６−３２８７５２号公報（明細書段落〔００２８〕、〔００３５〕、第９図、          第１６図）
【特許文献２】特開平１１−２０５６２２号公報（明細書段落〔０００３〕−〔０００７〕、          〔００２４〕、〔００２５〕、〔００３６〕、〔００５６〕          ）
【特許文献３】特開２００１−１５７０７４号公報（明細書段落〔００４３〕−〔００５４〕）
【発明の開示】
【発明が解決しようとする課題】
【００１４】
本発明は、以上のような背景に鑑みてなされたもので、印刷物やカラープルーフを出力する際の各種の条件に応じてカラープルーフを出力することにより、カラープルーフの色の再現性の向上を図ることが可能な画像変換方法、この方法を実行するコンピュータプログラム、このコンピュータプログラムを記録した情報記録媒体、画像変換装置および画像出力システムを提供することを目的としている。また、カラープルーフ出力装置による色、特に特色の出力処理を効率化することにより、出力の自動化を推進することが可能な画像変換方法、この方法を実行するコンピュータプログラム、このコンピュータプログラムを記録した情報記録媒体、画像変換装置および画像出力システムを提供することを目的としている。
【課題を解決するための手段】
【００１５】
上記目的を達成するために、請求項１に記載の発明は、デジタル編集が施された印刷物の画像データを、その印刷物のカラープルーフを出力するための画像データに変換する画像変換方法において、前記カラープルーフで表現可能な色の発色を決定するカラー情報を、前記印刷物を印刷出力するときの出力条件と関連付けて、あらかじめ設定し保存するための設定ステップと、所望の印刷物のカラープルーフを出力するときに、前記所望の印刷物の前記出力条件を入力するための条件入力ステップと、前記所望の印刷物の前記カラープルーフに含まれる色の種類を特定する情報を取得するための色情報取得ステップと、前記設定ステップで設定された前記カラー情報から、前記条件入力ステップで入力された前記出力条件と、前記色情報取得ステップで取得された前記色の種類を特定する前記情報とに関連付けられたカラー情報を選択する選択ステップと、前記選択ステップで選択された前記カラー情報を基に、前記カラープルーフを出力するための前記画像データを形成する形成ステップと、を備えることを特徴とする。
【００１６】
また、上記目的を達成するために、請求項２に記載の発明は、請求項１記載の画像変換方法であって、前記設定ステップで設定される、前記カラー情報が関連付けられた前記出力条件は、前記印刷物が印刷される用紙の種類および／または前記印刷物の印刷出力を行う印刷機の種類を含んでいることを特徴とする。
【００１７】
また、上記目的を達成するために、請求項３に記載の発明は、デジタル編集が施された印刷物の画像データを、その印刷物のカラープルーフを出力するための画像データに変換する画像変換方法において、前記カラープルーフで表現可能な色の発色を決定するカラー情報を、前記カラープルーフを出力するときの出力条件と関連付けて、あらかじめ設定し保存するための設定ステップと、所望の印刷物のカラープルーフを出力するときに、当該カラープルーフの前記出力条件を入力するための条件入力ステップと、前記所望の印刷物の前記カラープルーフに含まれる色の種類を特定する情報を取得するための色情報取得ステップと、前記設定ステップで設定された前記カラー情報から、前記条件入力ステップで入力された前記出力条件と、前記色情報取得ステップで取得された前記色の種類を特定する前記情報とに関連付けられたカラー情報を選択する選択ステップと、前記選択ステップで選択された前記カラー情報を基に、前記カラープルーフを出力するための前記画像データを形成する形成ステップと、を備えることを特徴とする。
【００１８】
また、上記目的を達成するために、請求項４に記載の発明は、請求項３記載の画像変換方法であって、前記設定ステップで設定される、前記カラー情報が関連付けられた前記出力条件は、前記カラープルーフが出力される用紙の種類および／または前記カラープルーフを出力するカラープルーフ出力装置の種類を含んでいることを特徴とする。
【００１９】
また、上記目的を達成するために、請求項５に記載の発明は、請求項１ないし請求項４のいずれかに記載の画像変換方法であって、前記設定ステップで設定される前記カラー情報は、前記カラープルーフで表現可能な特色のカラー情報を含んでいることを特徴とする。
【００２０】
また、上記目的を達成するために、請求項６に記載の発明は、請求項５記載の画像変換方法であって、前記所望の印刷物の前記カラープルーフに含まれるプロセスカラーのカラー情報を入力するプロセスカラー入力ステップと、前記選択ステップで選択された前記特色の前記カラー情報と、前記プロセスカラー入力ステップで入力された前記プロセスカラーの前記カラー情報とを用いて、前記特色の前記プロセスカラーにおける色分解情報を取得する色分解ステップと、を更に備えていることを特徴とする。
【００２１】
また、上記目的を達成するために、請求項７に記載の発明は、請求項６記載の画像変換方法であって、前記形成ステップは、前記色分解ステップで取得された前記色分解情報を基に、前記カラープルーフを出力するための前記画像データを形成することを特徴とする。
【００２２】
また、上記目的を達成するために、請求項８に記載の発明は、請求項１ないし請求項７のいずれかに記載の画像変換方法であって、前記設定ステップで保存される前記カラー情報は、前記カラープルーフで表現される前記色の出力の濃度、前記色のＬ＊ａ＊ｂ＊色空間における座標値、前記色をプロセスカラーに色分解したときの数値、および、前記色をＲＧＢに変換したときの数値のいずれかを含んでいることを特徴とする。
【００２３】
また、上記目的を達成するために、請求項９に記載の発明は、請求項１ないし請求項８のいずれかに記載の画像変換方法であって、前記カラープルーフの出力を行うカラープルーフ出力装置は、感光材料である銀塩ペーパーに露光処理を施すことによって前記出力を行うよう構成されており、前記形成ステップで形成された前記画像データを基に、前記カラープルーフ出力装置の前記露光処理における露光光量を制御するための信号を生成し、前記カラープルーフ出力装置に出力する出力制御ステップを更に備えることを特徴とする。
【００２４】
また、上記目的を達成するために、請求項１０に記載の発明は、請求項１ないし請求項９のいずれかに記載の画像変換方法であって、前記形成ステップは、カラープルーフで表現される色を調整するための色調整情報を前記画像データに付加することを特徴とする。
【００２５】
また、上記目的を達成するために、請求項１１に記載の発明は、デジタル編集が施された印刷物の画像データを、その印刷物のカラープルーフを出力するための画像データに変換するためのコンピュータプログラムであって、請求項１ないし請求項１０のいずれかに記載の画像変換方法を実行することを特徴とするコンピュータプログラムである。
【００２６】
また、上記目的を達成するために、請求項１２に記載の発明は、デジタル編集が施された印刷物の画像データを、その印刷物のカラープルーフを出力するための画像データに変換するためのコンピュータプログラムを記録した情報記録媒体であって、請求項１１記載のコンピュータプログラムを記録したことを特徴とする情報記録媒体である。
【００２７】
また、上記目的を達成するために、請求項１３に記載の発明は、デジタル編集が施された印刷物の画像データを、その印刷物のカラープルーフを出力するための画像データに変換する画像変換装置において、前記カラープルーフで表現可能な色の発色を決定するカラー情報を、前記印刷物を印刷出力するときの出力条件と関連付けて、あらかじめ設定し保存するための設定手段と、所望の印刷物のカラープルーフを出力するときに、前記所望の印刷物の前記出力条件を入力するための条件入力手段と、前記所望の印刷物の前記カラープルーフに含まれる色の種類を特定する情報を取得するための色情報取得手段と、前記設定手段により設定された前記カラー情報から、前記条件入力手段により入力された前記出力条件と、前記色情報取得手段により取得された前記色の種類を特定する前記情報とに関連付けられたカラー情報を選択する選択手段と、前記選択手段により選択された前記カラー情報を基に、前記カラープルーフを出力するための前記画像データを形成する形成手段と、を備えることを特徴とする画像変換装置である。
【００２８】
また、上記目的を達成するために、請求項１４に記載の発明は、デジタル編集が施された印刷物の画像データを、その印刷物のカラープルーフを出力するための画像データに変換する画像変換装置において、前記カラープルーフで表現可能な色の発色を決定するカラー情報を、前記カラープルーフを出力するときの出力条件と関連付けて、あらかじめ設定し保存するための設定手段と、所望の印刷物のカラープルーフを出力するときに、当該カラープルーフの前記出力条件を入力するための条件入力手段と、前記所望の印刷物の前記カラープルーフに含まれる色の種類を特定する情報を取得するための色情報取得手段と、前記設定手段により設定された前記カラー情報から、前記条件入力手段により入力された前記出力条件と、前記色情報取得手段により取得された前記色の種類を特定する前記情報とに関連付けられたカラー情報を選択する選択手段と、前記選択手段により選択された前記カラー情報を基に、前記カラープルーフを出力するための前記画像データを形成する形成手段と、を備えることを特徴とする画像変換装置である。
【００２９】
また、上記目的を達成するために、請求項１５に記載の発明は、請求項１３または請求項１４に記載の画像変換装置であって、前記設定手段により設定される前記カラー情報は、前記カラープルーフで表現可能な特色のカラー情報を含んでいることを特徴とする。
【００３０】
また、上記目的を達成するために、請求項１６に記載の発明は、請求項１５記載の画像変換装置であって、前記所望の印刷物の前記カラープルーフに含まれるプロセスカラーのカラー情報を入力するためのプロセスカラー入力手段と、前記選択手段により選択された前記特色の前記カラー情報と、前記プロセスカラー入力手段により入力された前記プロセスカラーの前記カラー情報とを用いて、前記特色の前記プロセスカラーにおける色分解情報を取得する色分解手段と、を更に備えていることを特徴とする。
【００３１】
また、上記目的を達成するために、請求項１７に記載の発明は、請求項１６記載の画像変換装置であって、前記形成手段は、前記色分解手段により取得された前記色分解情報を基に、前記カラープルーフを出力するための前記画像データを形成することを特徴とする。
【００３２】
また、上記目的を達成するために、請求項１８に記載の発明は、デジタル編集が施された印刷物の画像データを、その印刷物のカラープルーフを出力するための画像データに変換するための画像変換装置と、この画像変換装置により変換された前記画像データを基に前記印刷物のカラープルーフを出力するカラープルーフ出力装置と、を含んで構成される画像出力システムにおいて、前記画像変換装置は、前記カラープルーフ出力装置によって表現可能な色の発色を決定するカラー情報を、前記印刷物を印刷出力するときの出力条件と関連付けて、あらかじめ設定し保存するための設定手段と、所望の印刷物のカラープルーフを出力するときに、前記所望の印刷物の前記出力条件を入力するための条件入力手段と、前記所望の印刷物の前記カラープルーフに含まれる色の種類を特定する情報を取得するための色情報取得手段と、前記設定手段により設定された前記カラー情報から、前記条件入力手段により入力された前記出力条件と、前記色情報取得手段により取得された前記色の種類を特定する前記情報とに関連付けられたカラー情報を選択する選択手段と、前記選択手段により選択された前記カラー情報を基に、前記カラープルーフを出力するための前記画像データを形成する形成手段と、を備えることを特徴とする画像出力システムである。
【００３３】
また、上記目的を達成するために、請求項１９に記載の発明は、デジタル編集が施された印刷物の画像データを、その印刷物のカラープルーフを出力するための画像データに変換するための画像変換装置と、この画像変換装置により変換された前記画像データを基に前記印刷物のカラープルーフを出力するカラープルーフ出力装置と、を含んで構成される画像出力システムにおいて、前記画像変換装置は、前記カラープルーフで表現可能な色の発色を決定するカラー情報を、前記カラープルーフを出力するときの出力条件と関連付けて、あらかじめ設定し保存するための設定手段と、所望の印刷物のカラープルーフを出力するときに、当該カラープルーフの前記出力条件を入力するための条件入力手段と、前記所望の印刷物の前記カラープルーフに含まれる色の種類を特定する情報を取得するための色情報取得手段と、前記設定手段により設定された前記カラー情報から、前記条件入力手段により入力された前記出力条件と、前記色情報取得手段により取得された前記色の種類を特定する前記情報とに関連付けられたカラー情報を選択する選択手段と、前記選択手段により選択された前記カラー情報を基に、前記カラープルーフを出力するための前記画像データを形成する形成手段と、を備えることを特徴とする画像出力システムである。
【００３４】
また、上記目的を達成するために、請求項２０に記載の発明は、請求項１８または請求項１９に記載の画像出力システムであって、前記カラープルーフ出力装置は、感光材料である銀塩ペーパーに露光処理を施すための光学ユニットを備え、前記画像変換装置は、前記形成手段により形成された前記画像データを基に、前記光学ユニットによる前記銀塩ペーパーに対する露光光量を制御するための信号を生成し、この信号を前記カラープルーフ出力装置に出力する出力制御手段を更に備えることを特徴とする。
【発明の効果】
【００３５】
請求項１、請求項１３および請求項１８に記載の構成を備える本発明によれば、所定の出力条件下で印刷される印刷物を再現する場合に、あらかじめ設定された各種のカラー情報から、当該出力条件に対応したカラー情報を選択し、このカラー情報を用いて発色が調整されるので、カラープルーフの色の再現性を向上させることができる。また、出力条件に応じたカラー情報が自動的に選択されるので、出力処理の効率化が図られ、ひいては出力の自動化が推進される。
【００３６】
また、請求項３、請求項１４および請求項１９に記載の構成を備える本発明によれば、カラープルーフを所定の出力条件下で出力する場合に、あらかじめ設定された各種のカラー情報から、当該出力条件に対応したカラー情報を選択し、このカラー情報を用いて発色が調整されるので、カラープルーフの色の再現性を向上させることができる。また、出力条件に応じたカラー情報が自動的に選択されるので、出力処理の効率化が図られ、ひいては出力の自動化が推進される。
【００３７】
また、請求項６、７および請求項１６、１７に記載の構成を備える本発明によれば、特色をプロセスカラーに色分解して出力を行うことができるので、プロセスカラーのみを表現可能なカラープルーフ出力装置で特色を表現する場合にも、色の再現性を向上させ、出力の自動化を推進させることが可能となる。
【発明を実施するための最良の形態】
【００３８】
本発明の実施形態の一例である画像出力システムについて、図面を参照しながら詳細に説明する。本発明の画像出力システムは、印刷物のレイアウトや色調を実際に印刷を行う前に確認し、校正作業を行うためのカラープルーフを出力するよう構成されたシステムである。
【００３９】
〔画像出力システムの特徴および用語の定義〕
本発明の画像出力システムは、カラープルーフに含まれる色を表現するためのカラー情報を、印刷物を印刷出力する際の条件や、カラープルーフを出力する際の条件に関連付けて、予め設定登録しておく機能を備えている。そして、その印刷物のカラープルーフの出力を行うときに、その条件に対応するカラー情報を自動的に選択し、その選択されたカラー情報を基に、カラープルーフ上の色を表現する機能を備えている。
【００４０】
以下、印刷物を出力する際の各種の条件をまとめて「印刷出力条件」と称し、また、カラープルーフを出力する際の各種の条件をまとめて「プルーフ出力条件」と称することとする。更に、この印刷出力条件とプルーフ出力条件とを併せて「出力条件」と称することとする。印刷出力条件の具体例としては、印刷物が印刷される用紙の種類（アート紙、コート紙、上質紙等）、印刷処理を行う印刷機の種類（メーカの違い、機種の違い、同機種でも印刷出力に機差がある場合にはその機差、等）などがその一例である。また、プルーフ出力条件の具体例としては、カラープルーフが出力される感光材料の種類（マットタイプ、グロスタイプ等）や、カラープルーフ出力装置が複数接続されている場合などにはその機差などを挙げることができる。
【００４１】
また、「カラー情報」とは、上記のように、カラープルーフで表現可能な色の発色を決定するデータを意味することとし、その色の濃度、Ｌ＊ａ＊ｂ＊色空間におけるＬ＊、ａ＊、ｂ＊の座標値、ＣＭＹＫの数値、ＲＧＢの数値、または露光装置における露光量を決定するパラメータ等がある。
【００４２】
［第１の実施の形態］
以下、本発明の第１の実施形態である画像出力システムの全体構成、その各部の詳細構成、そしてシステムの動作・作用の順に説明を行うこととする。
【００４３】
〔画像出力システムの全体構成〕
本実施形態の画像出力システムは、本発明に係る画像変換装置を含んで構成されている。この画像変換装置は、本発明に係る情報記録媒体に記録されたコンピュータプログラムに従って、本発明の画像変換方法を実行するよう構成されている。
【００４４】
なお、画像変換装置から離れた場所にカラープルーフ出力装置が設置されているようなケース等にあっては、カラープルーフ出力装置を制御するための出力制御装置を当該カラープルーフ出力装置に付設し、画像変換装置により変換された画像データを当該出力制御装置に送信するよう構成することも可能である。後に、この構成について簡単に説明を加えることとする。
【００４５】
図１は、本実施形態の画像出力システムの概略構成の一例を示すブロック図である。同図に示すように、当該画像出力システムは、画像編集端末１Ａ〜１Ｃと、ＲＩＰ（Ｒａｓｔｅｒ Ｉｍａｇｅ Ｐｒｏｃｅｓｓｏｒ）２と、画像変換装置３と、カラープルーフ出力装置４とを含んで構成されている。画像編集端末１Ａ〜１Ｃ、ＲＩＰ２および画像変換装置３は、ＬＡＮやＷＡＮ、インターネット等のネットワークＮを介してそれぞれ接続されている。
【００４６】
当該システムには、更に、ＲＩＰ２から送信される画像データを直接に刷版に結像して出力を行うＣＴＰ（Ｃｏｍｐｕｔｅｒ Ｔｏ Ｐｌａｔｅ）出力装置５が設けられている。このＣＴＰ出力装置５により出力された刷版Ｐを印刷機６に装着して印刷処理を行うことにより、（最終的な）印刷物Ｆを出力するようになっている。本実施形態の画像出力システムは、この印刷物Ｆを印刷するための刷版Ｐを作成する前に、刷版Ｐが編集ミスや画像データの誤りを含んでいないかどうか校正するためのカラープルーフを好適に出力するためのものである。
【００４７】
〔画像編集端末の構成〕
画像編集端末１Ａ〜１Ｃは、ＤＴＰの手法を用いて、印刷物の画像データを複数の色版情報に分割して編集するためのアプリケーションソフトウェア等がインストールされたコンピュータ端末からなり、コンピュータ本体、キーボードおよびモニタ等に加えて、イメージスキャナ等の画像入力機器などを備えている。このような画像編集端末は、通常、複数台が設けられている（本実施形態では１Ａ〜１Ｃの３台設けられているが、もちろん１台のみの構成や所望の台数からなる構成としてよい）。各画像編集端末１Ａ〜１Ｃにより編集された画像データは、ネットワークＮを通じてＲＩＰ２に送信されるようになっているのが通常だが、ＲＩＰ２および画像変換装置３の双方に送信されるようにしてもよい。
【００４８】
〔ＲＩＰの構成〕
ＲＩＰ２は、画像編集端末１Ａ〜１Ｃを用いて編集された印刷物の電子製版の基となる画像データをネットワークＮを通じて受信し、文字やイメージデータを走査しながらビットマップに変換するプロセッサであって、ラスタイメージフォーマットのＣ（シアン）、Ｍ（マゼンタ）、Ｙ（イエロー）およびＫ（ブラック）の各基本色の網点画像データを面順次に生成することができる。
【００４９】
ＲＩＰ２により生成される画像データは、Ｃ、Ｍ、Ｙ、Ｋおよび特色の各色版からなるファイル形式であり、各色版ファイルには、その色版名称がファイル名として付されるようになっている。例えば、Ｃ版ファイルには「Ｃｙａｎ」、Ｍ版ファイルには「Ｍａｇｅｎｔａ」、Ｙ版ファイルには「Ｙｅｌｌｏｗ」、Ｋ版ファイルには「Ｂｌａｃｋ」、特色版ファイルには「ＳｐｏｔＣｏｌｏｒ Ｎ」（ここで、Ｎ＝１，２，・・・・は、各特色に付された番号を示している。例えば、Ｎ＝１はシルバーメタリック、Ｎ＝２は蛍光ピンク、という具合である。）と、それぞれにファイル名が付される。ここで、ファイル名はこのような形態に限定されるものではなく、例えば、特色版のファイル名に「シルバーメタリック」、「蛍光ピンク」などの特色名をそのまま使用してもよい。
【００５０】
なお、ＲＩＰ２により生成される画像データは、このような各色版に形成されたファイル形式である必要はない。一変形例としては、ＲＩＰ２により一つの画像データとして生成し、所定の文字列（例えば、上記のファイル名と同様の文字列を採用できる）を用いて、各色版に関するデータの当該画像データにおける位置を特定するようなデータ構成とすることができる。
【００５１】
〔画像変換装置の構成〕
画像変換装置３は、所定の動作プログラムが組み込まれた情報処理装置で、コンピュータ本体、キーボード、モニタ等を備えている。この画像変換装置３は、ネットワークＮを介してＲＩＰ２が生成した画像データを取得し、このＲＩＰフォーマットの網点画像データを、カラープルーフ出力装置４による露光用のフォーマットに変換するための構成を備えている。画像変換装置３は、更に、この変更された画像データに基づいてカラープルーフを出力するように、カラープルーフ出力装置４のレーザの露光光量等を制御する出力制御信号を生成する。変換された画像データおよび出力制御信号は、カラープルーフ出力装置４に送信され、カラープルーフが出力される。
【００５２】
図１にその構成の一例を示すように、画像変換装置３は、所定の演算処理や制御処理を実行するためのＣＰＵ３１と、このＣＰＵ３１により実行されるプログラムや、演算・制御に供されるデータ等が展開されるＲＡＭ等のメインメモリ３２と、ＲＩＰ２から送信された画像データを一時的に記憶して処理のタイミングを調整するためのバッファ３３と、後述の出力条件／カラー情報対照表を保存するためのカラー情報メモリ３４とを備えている。
【００５３】
バッファ３３は、Ｃ版ファイル、Ｍ版ファイル、Ｙ版ファイル、Ｋ版ファイルおよび特色版ファイルの画像データを記憶するメモリ領域を備えている。これらのファイルは、それぞれ対応するメモリ領域に記憶されるようになっている。
【００５４】
また、カラー情報メモリ３４を特に設けず、出力条件／カラー情報対照表を後述のＨＤＤ３５に保存するようにしてもよい。
【００５５】
画像変換装置３には、更に、ハードディスクドライブ（ＨＤＤ）３５、ユーザインターフェイス３６およびインターフェイス（Ｉ／Ｆ）部３７が設けられている。ＨＤＤ３５は、ＯＳ、動作プログラム、各種のデータやアプリケーションソフトウェア等を格納する不揮発性の記憶装置である。また、ユーザインターフェイス３６は、ユーザが各種の操作や入力作業を行うキーボードやマウス等を含んでいる。また、Ｉ／Ｆ部３７は、ＲＩＰ２から送信される画像データの入力処理や、カラープルーフ出力装置４へと送信する画像データ・出力制御信号等の出力処理を行うためのインターフェイス回路を含んで構成されている。なお、入力用のインターフェイス回路と出力用のインターフェイス回路とをそれぞれ別個に備えた構成としてもよい。
【００５６】
画像変換装置３は、ＨＤＤ３５に格納されたコンピュータプログラムをメインメモリ３２にコピーし、コピーされたコンピュータプログラム（後述の各手段を構成する）をＣＰＵ３１が実行することで、本発明に係る機能を実現するようになっている。当該コンピュータプログラムは、フロッピー（登録商標）ディスクやＣＤ−ＲＯＭ、ＤＶＤ−ＲＯＭ等の情報記録媒体に予め記録されており、これを画像変換装置３にインストールすることにより、画像変換装置３上で動作されるようになっている。なお、インターネットやＬＡＮ等のネットワーク上のサーバ等からダウンロードして、このコンピュータプログラムを使用するよう構成してもよい。
【００５７】
メインメモリ３２は、ＣＰＵ３１の制御によりＨＤＤ３５からコピーされる、設定手段３０１、条件入力手段３０２、色情報取得手段３０３、選択手段３０４、形成手段３０５および出力制御手段３０６を記憶する。
【００５８】
設定手段３０１は、カラープルーフで表現可能な色の発色を決定するカラー情報を、印刷物を印刷出力するときの出力条件と関連付けて、あらかじめ設定し保存するために実行されるコンピュータプログラムである。より詳しくは、カラープルーフ出力装置４によって表現可能な色（特に特色）のＬ＊ａ＊ｂ＊色空間におけるＬ＊、ａ＊、ｂ＊の座標値と、この色の透過率と（カラー情報）を、印刷物が出力される印刷用紙の種類（出力条件）に対応させて設定登録し、例えばテーブル形式としてカラー情報メモリ３４に保存する機能を実現するコンピュータプログラムである。ここで、設定手段３０１によりカラー情報メモリ３４に保存される上記の表のことを、出力条件／カラー情報対照表と称することとする（単に「対照表」と呼ぶこともある）。
【００５９】
図２は、設定手段により設定され保存される出力条件／カラー情報対照表の一例を示す図である。同図に示す対照表には、出力される特色の種類として、特色名ＳｐｏｔＣｏｌｏｒ １、ＳｐｏｔＣｏｌｏｒ ２、ＳｐｏｔＣｏｌｏｒ ３、・・・・・が設定登録されている。なお、これらの特色名は、対応する上記の特色版ファイルのファイル名となっている。また、印刷用紙の種類としては、アート紙、コート紙および上質紙が設定されている。更に、各特色について、印刷用紙の種類に対応するＬ＊、ａ＊、ｂ＊の座標値および透過率が設定されている。例えば、特色名ＳｐｏｔＣｏｌｏｒ １の特色がアート紙上に表現される場合、そのＬ＊の座標値は７０、ａ＊の座標値は４０、ｂ＊の座標値は−３０と設定され、透過率は６０と設定されている。なお、Ｌ＊ａ＊ｂ＊色空間における座標値は、インキの製造メーカ等から入手することができる。
【００６０】
ＣＰＵ３１は、設定手段３０１を実行することにより、ユーザが出力条件／カラー情報対照表に出力条件やカラー情報を入力するための入力画面を、図示しないモニタに表示する。ユーザは、ユーザインターフェイス３６を用いて、当該入力画面からカラー情報を入力する。このとき、出力条件や特色の種類の追加や削除、訂正といった作業を行うこともできる。入力されたカラー情報は、当該対照表に反映され、カラー情報メモリ３４に保存される。
【００６１】
条件入力手段３０２は、実際に印刷される印刷物Ｆが印刷される用紙の種類を入力するための機能を実現するコンピュータプログラムである。なお、この用紙の種類の入力は、ユーザインターフェイス３６を用いて手入力で行う。ＣＰＵ３１は、条件入力手段３０２を実行することにより、出力条件の入力を行うための画面を表示し、この画面から入力された出力条件をメインメモリ３２内に記憶させるよう機能する。
【００６２】
色情報取得手段３０３は、ＣＰＵ３１によって実行されることにより、ＲＩＰ２から送信された印刷物Ｆの画像データを構成する各色版ファイルのファイル名やデータ中の所定の文字列を参照することにより、印刷物Ｆ（のカラープルーフ）に含まれる特色の種類を特定し、この特定された特色の特色名をメインメモリ３２に記憶させる機能を実現するコンピュータプログラムである。
【００６３】
選択手段３０４は、ＣＰＵ３１によって実行されることにより、条件入力手段３０２によって記憶された用紙の種類と、色情報取得手段３０３によって記憶された特色（の特色名）とに関連するカラー情報を、出力条件／カラー情報対照表から選択する機能を実現するコンピュータプログラムである。
【００６４】
例えば、図２に示した対照表を採用すると、条件入力手段３０２によって「アート紙」が記憶され、色情報取得手段３０３によって「ＳｐｏｔＣｏｌｏｒ １」が記憶された場合、選択手段３０４は、この両条件に対応するカラー情報として、「Ｌ：７０、ａ：４０、ｂ：−３０、透過率：６０」を選択する。
【００６５】
形成手段３０５は、選択手段３０４により選択されたカラー情報を反映して特色がカラープルーフ上で表現されるよう、色の表現を調整するための画像データ（色調整情報）を形成するよう機能するコンピュータプログラムである。即ち、このプログラムをＣＰＵ３１が実行することにより、カラープルーフで表現される特色のカラー情報と、出力処理時に入力されるプロセスカラーのカラー情報（後述）とが合成されて色調整情報が形成される。
【００６６】
カラープルーフに含まれる各色のカラー情報が合成されたこの色調整情報は、カラープルーフで表現される色を、印刷物Ｆ上での色に合わせるために使用される。この色調整は、印刷用紙の種類に応じて発色が異なることから生じる、カラープルーフの色の再現性が低下する事態を回避するためのものである。
【００６７】
出力制御手段３０６は、ＣＰＵ３１により実行されることにより、形成手段３０５によって形成された色調整情報に従ってカラープルーフの出力を行うよう、カラープルーフ出力装置４を制御するための出力制御信号を生成するためのコンピュータプログラムである。更に、Ｉ／Ｆ部３７を制御して、この出力制御信号と画像データとをカラープルーフ出力装置４に出力する機能を実現するようになっている。
【００６８】
〔カラープルーフ出力装置の構成〕
続いて、カラープルーフ出力装置４の構成の詳細について説明する。カラープルーフ出力装置４は、画像変換装置３から送信される出力制御信号に基づいて制御されるＲ（Ｒｅｄ；赤）、Ｇ（Ｇｒｅｅｎ；緑）およびＢ（Ｂｌｕｅ；青）のレーザにより、感光材料である銀塩ペーパーを露光処理することにより、印刷物の校正作業に用いられるカラープルーフを作成する装置である。
【００６９】
図３は、カラープルーフ出力装置４の内部構成の概略を示す側面図である。カラープルーフ出力装置４は、銀塩ペーパーに露光処理を施すためのユニット構成の露光部４０と、この露光部４０で露光処理がなされた銀塩ペーパーを現像するためのユニット構成の現像部５０とに大別される。
【００７０】
（露光部の構成）
露光部４０は、ロールセット部４１と、感材供給部４２と、主走査部４３と、光学ユニット４４と、副走査機構４５と、排紙部４６と、制御部４７と、Ｉ／Ｆ（インターフェイス）部４８とを含んで構成されている。
【００７１】
ロールセット部４１は、感光面を外側に向けてロール状に巻かれた銀塩ペーパー１００を収納したマガジン４１１を装填するための部位である。マガジン４１１は、開閉可能に設けられた給紙カバー４１２を開けて装填するようになっている。また、銀塩ペーパー１００は、引出口４１３を通過して主走査部４３へと供給されるようになっている。
【００７２】
感材供給部４２は、ロールセット部４１に配置された銀塩ペーパー１００を搬送し、主走査部４３に供給するための機構を備えている。この感材供給部４２は、引出口４１３の下方に配置され、回動駆動される一対のローラからなるローラ対４２１と、このローラ対４２１の下方に設けられ、搬送されてきた銀塩ペーパー１００を切断するためのディスクカッタからなるカッタ４２２と、このカッタ４２２の下方に設けられたスクイズローラ４２３とから構成される。スクイズローラ４２３は、主走査部４３の後述するドラム４３１に対して接離可能に設けられている。また、スクイズローラ４２３の表面基体は、ゴム等の弾性部材からなり、ドラム４３１に接触する際の密着性を高め、銀塩ペーパー１００が滑ってずれてしまう事態を回避するようになっている。
【００７３】
主走査部４３は、露光処理が施される銀塩ペーパー１００を支持する円筒形状のドラム４３１を備えている。このドラム４３１は、図示しないモータにより、支軸４３１ａを軸として回動駆動される。また、ドラム４３１の外周面には多数の吸引孔が開口されており、図示しない空気吸引装置によってドラム４３１の内部側から吸引を行うことにより、銀塩ペーパー１００をその外周面に吸着させて銀塩ペーパー１００を支持するようになっている。
【００７４】
また、ドラム４３１は、銀塩ペーパー１００が提供される段階では感材供給部４２のスクイズローラ４２３により駆動されて回動し、一方、光学ユニット４４による露光時や、排紙部４６による銀塩ペーパー１００の剥離時には、上記モータによって駆動されるよう制御されている。
【００７５】
光学ユニット４４は、ドラム４３１の外周面に対向して配置されており、ドラム４３１に支持された銀塩ペーパー１００に露光処理を施すための、赤色の光を発光するレッド（Ｒ）レーザユニット、緑色の光を発光するグリーン（Ｇ）レーザユニット、および、青色の光を発光するブルー（Ｂ）レーザユニットが格納されている（図示は省略する）。
【００７６】
副走査機構４５は、光学ユニット４４をドラム４３１の支軸４３１ａと平行な方向に移動駆動するための構成を有している。
【００７７】
ここで、主走査部４３による走査方向（主走査方向）は、露光位置（光学ユニット４４からレーザが照射される位置）におけるドラム４３１の回転方向であり、一方、副走査機構４５による走査方向（副走査方向）は、ドラム４３１の支軸４３１ａの方向である。なお、主走査方向と副走査方向とは互いに直交している。このような２方向への走査をしながら銀塩ペーパー１００の露光処理が行われる。
【００７８】
排紙部４６は、剥離ガイド４６１、搬送機構４６２および蓄積部（アキュムレータ）４６３を含んで構成される。剥離ガイド４６１は、ドラム４３１の外周面に対して接離可能に設けられており、これをドラム４３１に当接させることにより、銀塩ペーパー１００がドラム４３１から剥離されるようになっている。この剥離ガイド４６１は、支軸４６１ａを軸に回動することでドラム４３１の外周面に当接、離反する。また、搬送機構４６２は、剥離ガイド４６１によってドラム４３１から剥離された銀塩ペーパー１００を現像部５０側に案内し搬送するためのものである。また、蓄積部４６３は、搬送機構４６２によって搬送される銀塩ペーパー１００の後端部を一時的に蓄積（アキューム）するために設けられている。
【００７９】
制御部４７は、その詳細な説明は割愛するが、カラープルーフ出力装置４の各部の制御を行うための演算制御回路から構成されている。制御部４７は、特に、光学ユニット４４に格納されたＲ、Ｇ、Ｂのレーザユニットの光量の制御や、主走査部４３および副走査部４５による露光時の走査の制御を行う。
【００８０】
Ｉ／Ｆ部４８は、画像変換装置３から送信されてくる画像データや出力制御信号を、カラープルーフ出力装置４に入力するためのインターフェイス回路から構成されている。
【００８１】
（現像部の構成）
現像部５０は、露光部４０によって露光処理がなされた銀塩ペーパー１００に現像処理を施して、印刷物のカラープルーフを完成させるための構成を備え、図３に示すように、第２露光部５１、発色現像処理部５２、漂白定着処理部５３、安定化処理部５４、乾燥部５５および排紙トレイ５６をこの順に含んでいる。
【００８２】
第２露光部５１は、露光部４０側から排紙部４６によって送られてきた露光処理済みの銀塩ペーパー１００に一様な露光を施すための処理漕からなる。また、発色現像処理部５２は、第２露光部５１による露光処理の終了後に発色現像処理を行う処理漕からなる。また、漂白定着処理部５３は、発色現像処理部５２による発色現像処理の終了後に漂白定着処理を行う処理漕からなる。また、安定化処理部５４は、発色現像処理部５３による発色現像処理の終了後に安定化処理を行う処理漕からなる。また、乾燥部５５は、安定化処理部５４による安定化処理の終了後に銀塩ペーパー１００の乾燥処理を施すものである。また、排紙トレイ５６は、乾燥部５５による乾燥処理を終了し排紙された銀塩ペーパー１００を蓄積するためのトレイである。
【００８３】
〔画像出力システムの動作・作用〕
以下、上記のような構成を備えた画像出力システムの動作およびその作用について、図４に示すフローチャートを更に参照して説明する。
【００８４】
実際にカラープルーフの出力処理を行う前に、設定手段３０１を用いて出力条件／カラー情報対照表の設定を行う（Ｓ１）。そのために、ユーザは、ユーザインターフェイス３６を操作して、当該対照表にデータを入力するための入力画面をモニタに表示させ、この入力画面から出力条件やカラー情報を入力する。入力されたデータは、出力条件／カラー情報対照表に登録され、カラー情報メモリ３４に保存される。なお、ネットワークや情報記録媒体を介して出力条件／カラー情報対照表を取得し、カラー情報メモリ３４に保存するようにしてもよい。また、当該対照表の設定は、画像変換装置３による処理が開始される前に終了していれば十分であり、例えば画像編集端末１Ａ〜１Ｃで印刷物Ｆを編集している間などに行ってもよい。
【００８５】
次に、画像編集端末１Ａ〜１Ｃを用いて印刷物Ｆのレイアウトや色調などの編集作業を行う（Ｓ２）。編集された印刷物Ｆの画像データは、ネットワークＮを通じてＲＩＰ２に送信される。ＲＩＰ２は、受信した画像データを各色の網点画像データに変換し、Ｃ版ファイル、Ｍ版ファイル、Ｙ版ファイル、Ｋ版ファイルおよび特色版ファイルを作成して、画像変換装置３に送信する（Ｓ３）。なお、印刷物Ｆに特色が含まれていないときは、特色版ファイルは作成されず、以下の処理は通常の工程に従って実行されるようになっている（後述するＳ５の「Ｎ」を参照）。
【００８６】
ＲＩＰ２から送信された各ファイルは、Ｉ／Ｆ部３７を介して画像変換装置３に入力され、バッファ３３に格納される。一方、ＣＰＵ３１は、条件入力手段３０２を実行して、印刷物Ｆの印刷用紙の種類（出力条件）を入力する（Ｓ４）。このとき、プロセスカラーのカラー情報も入力されるようになっている。これらの情報は、メインメモリ３２に記憶される。なお、プロセスカラーのカラー情報は、インキメーカ等から入手することができる。
【００８７】
次に、ＣＰＵ３１は、ＲＩＰ２から送信された各ファイルのファイル名を認識して、特色版ファイルが含まれているか否か判断する（Ｓ５）。この判断は、上述のファイル名を参照することにより容易に行うことができる。特色版ファイルが含まれていない場合（Ｓ５；Ｎ）、特色のカラー情報に関する以下の処理を省略し、Ｓ９にスキップする。
【００８８】
ＲＩＰ２から送信されたファイルに特色版ファイルが含まれている場合（Ｓ５；Ｙ）、ＣＰＵ３１は、色情報取得手段３０３を実行して、この特色版ファイルのファイル名、つまり特色名をメインメモリ３２に記憶する（Ｓ６）。
【００８９】
次に、ＣＰＵ３１は、選択手段３０４を実行して、メインメモリ３２に記憶された印刷用紙の種類（出力条件）と特色名とに対応するカラー情報を、出力条件／カラー情報対照表から選択する（Ｓ７）。そして、形成手段３０５を実行して、選択された特色のカラー情報と、上記入力されたプロセスカラーのカラー情報とを合成して、色調整情報を形成する（Ｓ８）。
【００９０】
続いて、ＣＰＵ３１は、出力制御手段３０６を実行して、形成された色調整情報に従ってカラープルーフの出力処理をするようにカラープルーフ出力装置４を制御する出力制御信号を生成する（Ｓ９）。そして、出力制御手段３０６は、Ｉ／Ｆ部３７を制御して、生成した出力制御信号および各色版の画像データをカラープルーフ出力装置４に送信する（Ｓ１０）。
【００９１】
画像変換装置３から画像データおよび出力制御信号を受信したカラープルーフ出力装置４は、露光部４０により銀塩ペーパー１００に露光処理を施す。このとき、制御部４７は、Ｉ／Ｆ部４８を介して受けた画像データ、出力制御信号に基づき、主走査部４３および副走査部４５による走査を行いながら、光学ユニット４４のレッドレーザユニット、グリーンレーザユニットおよびブルーレーザユニットによる露光濃度を制御する（Ｓ１１）。
【００９２】
そして、現像部５０によって、露光処理が施された銀塩ペーパー１００に現像処理がなされ（Ｓ１２）、カラープルーフが出力される（Ｓ１３）。
【００９３】
以上のような本実施形態の画像出力システムによれば、印刷物Ｆの印刷用紙の種類に応じて、色（特に特色）の発色を調整することができるので、カラープルーフの色の再現性が向上する。また、従来のように、出力の度毎に適切なカラー情報を選択して入力する必要がなくなるので、出力の効率化を図ることができ、ひいては出力の自動化を推進することが可能となる。
【００９４】
〔各種変形例〕
以上説明した本実施形態では、特色のカラー情報に関してのみ、出力条件／カラー情報対照表が設定され、本発明に特徴的な処理が施されるよう構成されているが、プロセスカラーについても同様の処理を施すことが可能である。
【００９５】
まず、プロセスカラーに関する出力条件／カラー情報対照表を設定することは容易である。端的に述べると、各プロセスカラーＣ、Ｍ、Ｙ、Ｋのカラー情報を、印刷物Ｆを印刷する用紙の種類それぞれに対応して適宜設定すればよい。
【００９６】
そして、条件入力手段３０２により、印刷物Ｆの出力条件（用紙の種類）を入力するとともに、色情報取得手段３０３によって、各基本色版ファイルのファイル名や画像データ中の所定の文字列を参照して、その色の種類を特定する情報の入力を行う。更に、選択手段３０４が、これら入力された内容に該当するカラー情報を、出力条件／カラー情報対照表から選択し、この選択されたカラー情報を基に、形成手段３０５が、カラープルーフ出力用の画像データを形成する。これにより、プロセスカラーについても、印刷物Ｆが印刷される用紙の種類に応じたカラープルーフの出力制御を行うことが可能となる。
【００９７】
また、本実施形態の画像変換装置３には出力制御手段３０６が備えられており、カラープルーフ出力装置４の光学ユニット４４による露光光量を制御する出力制御信号を生成し、これを送信するようになっているが、画像変換装置３が出力制御手段３０６を含まない場合もある。
【００９８】
即ち、画像変換装置３に設定手段３０１、条件入力手段３０２、色情報取得手段３０３、選択手段３０４および形成手段３０５のみを設けるとともに、出力制御手段３０６を備えた出力制御装置を別途設ける。そして、画像変換装置３は、形成手段３０５によって形成された画像データを、Ｉ／Ｆ部３７を介して出力制御装置に送信し、出力制御装置は、この画像データを受けて出力制御信号を生成し、カラープルーフ出力装置４に出力するよう構成する。
【００９９】
このように構成された画像出力システムは、例えば、画像変換装置３とカラープルーフ出力装置４とが距離を隔てて設置され、インターネット等のネットワークで結ばれている場合等に適用することが可能である。
【０１００】
また、設定手段３０１は、入力画面を用いて出力条件やカラー情報を入力するよう構成されている上記ケースの他にも、ネットワークや情報記録媒体を介して手作業でまたは自動的に設定処理を行うように構成すること等も可能である。
【０１０１】
また、出力条件とカラー情報とを関係付けて設定、保存されるデータは、出力条件／カラー情報対照表のようなテーブル形式である必要はない。例えば、出力条件毎にフォルダを設け、各色のカラー情報をこのフォルダに入れておくよう構成することや、逆に、各色毎にフォルダを設け、各出力条件におけるカラー情報をこれに入れておくよう構成できる。前者の構成の一例としては、「アート紙」フォルダ、「コート紙」フォルダ、「上質紙」フォルダを設け、各フォルダに特色ＳｐｏｔＣｏｌｏｒ １、２、３・・・の対応するカラー情報を保存すればよい。また、後者の構成の一例としては、「ＳｐｏｔＣｏｌｏｒ １」フォルダ、「ＳｐｏｔＣｏｌｏｒ ２」フォルダ、「ＳｐｏｔＣｏｌｏｒ ３」フォルダ・・・を設け、各フォルダに、アート紙に対応するカラー情報、コート紙に対応するカラー情報、上質紙に対応するカラー情報を保存するようにすればよい。
【０１０２】
また、条件入力手段３０２の変形例として、次のような構成を採用してもよい。まず、画像編集端末１Ａ〜１Ｃによる編集時や、ＲＩＰ２によるデータ処理時に、印刷物Ｆの印刷用紙の種類を示す印刷用紙データを画像データに添付するよう構成する。そして、ＣＰＵ３１は、条件入力手段３０２を実行することにより、ＲＩＰ２から送信された画像データに添付された上記印刷用紙データを認識して用紙の種類を判別し、この判別結果をメインメモリ３２に記憶させるよう構成する。このようにすれば、ユーザによる手入力の手間を省くことができるので、カラープルーフの出力処理において更なる自動化を図ることが可能となる。
【０１０３】
また、出力に係る特色や印刷紙の種類に対応するカラー情報が、出力条件／カラー情報対照表に登録されているかどうか判別する手段を設け、登録されている場合にはそのカラー情報を使用し、登録されていない場合には色調整処理をスキップするような構成を付加することもできる。より具体的には、出力に係る特色版ファイルのファイル名（特色名）や印刷用紙の種類と、出力条件／カラー情報対照表に登録されている特色名や印刷用紙の種類とを比較することにより、上記判別を行うようにすることができる。
【０１０４】
以上のように、本実施形態の画像出力システムや画像変換装置には、各種の変形、変更、追加等を適宜施すことができる。
【０１０５】
［第２の実施の形態］
次に、本発明に係る画像出力システムの他の実施形態について説明する。本実施形態の画像出力システムは、第１の実施の形態として説明した画像出力システムとほぼ同様の構成を備えている。よって、第１の実施の形態と同様の構成部分については、同一の符号を付して説明することとする。なお、図２に示した出力条件／カラー情報対照表を引き続き用いて説明を行う。
【０１０６】
本実施形態の画像出力システムでは、画像変換装置３の内部構成、メインメモリ３２に記録されるコンピュータプログラムの形態、カラー情報メモリ３４に保存される出力条件／カラー情報対照表の構成、および、画像データの処理方法が、第１の実施の形態と相違している。
【０１０７】
図５は、本実施形態の画像変換装置３の内部構成を示す概略図である。当該画像変換装置３には、第１の実施形態のそれの構成要素に加え、プロセスカラーメモリ３８が設けられている。このプロセスカラーメモリ３８は、Ｃ、Ｍ、Ｙ、Ｋの各プロセスカラーの濃度を様々に変えたときの単色のカラー情報や複数色を混合させて表現される色のカラー情報（これらをまとめて、プロセスカラーのカラー情報と称し、略してプロセスカラー情報とも称することとする）をあらかじめ保存しておくための手段である。なお、このようなプロセスカラーメモリ３８を特に設けず、上記のデータをＨＤＤ３５に保存しておくようにしてもよい。
【０１０８】
また、画像変換装置３のメインメモリ３２には、第１の実施形態と同様の設定手段３０１、条件入力手段３０２、色情報取得手段３０３、選択手段３０４、形成手段３０５および出力制御手段３０６に加えて、プロセスカラー入力手段３０７と色分解手段３０８とが記憶されている。
【０１０９】
プロセスカラー入力手段３０７は、各種のプロセスカラー情報を、プロセスカラーメモリ３８に設定入力するためのコンピュータプログラムであり、設定手段３０１と同様の入力画面を表示させるように構成されている。なお、ネットワークや情報記録媒体を介して、プロセスカラー情報を設定入力するように構成してもよい。
【０１１０】
また、色分解手段３０８は、選択手段３０４により選択された特色のカラー情報を、プロセスカラーに色分解するためのコンピュータプログラムである。具体的には、色分解手段３０８は、プロセスカラーメモリ３８に保存されているプロセスカラー情報のうちから、選択手段３０４により選択された特色のカラー情報に最も近い数値を備えたプロセスカラー情報を選択し、このプロセスカラー情報を当該特色のカラー情報として割り当てることによって、特色の色分解を行うようになっている。特色のカラー情報として割り当てられた上記プロセスカラー情報が、本発明にいう色分解情報である。
【０１１１】
次に、このような構成を備えた本実施形態の画像出力システムの動作・作用について説明する。図６には、当該実施形態の画像出力システムによるカラープルーフ出力処理（の一部）を表すフローチャートが示されている。なお、当該フローチャートでは、画像変換装置３による処理までが示され、カラープルーフ出力装置４による出力処理は省略されている。また、第１の実施形態における処理と同一の処理には、同一の符号が付されている。
【０１１２】
まず、実際にカラープルーフの出力処理を行う前に、設定手段３０１を用いて出力条件／カラー情報対照表の設定を行う（Ｓ１）。更に、プロセスカラー入力手段３０７を用いて、プロセスカラー情報の入力を行う（Ｓ２１）。そのために、ユーザは、ユーザインターフェイス３６を操作して、プロセスカラー情報を入力するための入力画面をモニタに表示させ、この入力画面によって入力を行う。入力されたプロセスカラー情報は、プロセスカラーメモリ３４に保存される。
【０１１３】
次に、画像編集端末１Ａ〜１Ｃを用いて印刷物Ｆのレイアウトや色調などの編集作業を行う（Ｓ２）。編集された印刷物Ｆの画像データは、ネットワークＮを通じてＲＩＰ２に送信される。ＲＩＰ２は、受信した画像データを各色の網点画像データに変換し、Ｃ版ファイル、Ｍ版ファイル、Ｙ版ファイル、Ｋ版ファイルおよび特色版ファイルを作成して、画像変換装置３に送信する（Ｓ３）。
【０１１４】
ＲＩＰ２から送信された各ファイルは、Ｉ／Ｆ部３７を介して画像変換装置３に入力され、バッファ３３に格納される。一方、ＣＰＵ３１は、条件入力手段３０２を実行して、印刷物Ｆの印刷用紙の種類（出力条件）を入力する（Ｓ４）。入力された出力条件は、メインメモリ３２に記憶される。
【０１１５】
次に、ＣＰＵ３１は、ＲＩＰ２から送信された各ファイルのファイル名を認識して、特色版ファイルが含まれているか否か判断する（Ｓ５）。特色版ファイルが含まれていない場合（Ｓ５；Ｎ）、特色のカラー情報に関する以下の処理を省略し、Ｓ９にスキップする。
【０１１６】
ＲＩＰ２から送信されたファイルに特色版ファイルが含まれている場合（Ｓ５；Ｙ）、ＣＰＵ３１は、色情報取得手段３０３を実行して、この特色版ファイルのファイル名、つまり特色名をメインメモリ３２に記憶する（Ｓ６）。
【０１１７】
次に、ＣＰＵ３１は、選択手段３０４を実行して、メインメモリ３２に記憶された印刷用紙の種類（出力条件）と特色名とに対応するカラー情報を、出力条件／カラー情報対照表から選択する（Ｓ７）。更に、色分解手段３０８を実行して、プロセスカラーメモリ３８から適当なプロセスカラー情報を選択して、選択された特色のカラー情報を色分解する（Ｓ２２）。そして、形成手段３０５を実行して、色分解された特色のカラー情報と、Ｃ版、Ｍ版、Ｙ版、Ｋ版の画像データに対応するプロセスカラーのカラー情報とを合成して、色調整情報を形成する（Ｓ８）。
【０１１８】
続いて、ＣＰＵ３１は、出力制御手段３０６を実行して、形成された色調整情報に従ってカラープルーフの出力処理をするようにカラープルーフ出力装置４を制御する出力制御信号を生成する（Ｓ９）。そして、出力制御手段３０６は、Ｉ／Ｆ部３７を制御して、生成した出力制御信号および各色版の画像データをカラープルーフ出力装置４に送信する（Ｓ１０）。カラープルーフ出力装置４は、この出力制御信号および画像データを受けて、カラープルーフを出力する。
【０１１９】
以上のような処理を実行する本実施形態の画像出力システムによれば、カラープルーフ出力装置４がプロセスカラーのみ出力可能な場合であっても、印刷物Ｆの印刷用紙の種類に応じて、色（特に特色）の発色を調整することができ、カラープルーフの色の再現性を向上させることができる。また、出力の自動化を推進することも可能となる。
【０１２０】
なお、以上で説明した第１および第２の実施形態の画像出力システムでは、出力条件として印刷物Ｆの印刷用紙の種類のみを考慮しているが、上記した印刷出力条件やプルーフ出力条件に対応した色調整処理を行うことも可能である。
【０１２１】
印刷出力条件としては、印刷機６の種類が例示されていた。この場合、出力条件／カラー情報対照表として、色の種類と印刷機の種類とに対応付けられたカラー情報を設定登録するようにすればよい。具体的には、例えば、印刷機６Ａおよび６Ｂ（不図示）が設けられている場合、特色名ＳｐｏｔＣｏｌｏｒ １、ＳｐｏｔＣｏｌｏｒ ２、ＳｐｏｔＣｏｌｏｒ ３、・・・のそれぞれの特色に対し、印刷機６Ａで印刷するときの表現を再現するためのカラー情報と、印刷機６Ｂで印刷するときの表現を再現するためのカラー情報とを設定すればよい（図７参照）。このようにすれば、印刷機６Ａ、６Ｂの種類や機差等に拘わらず、色の再現性を向上させることができる。もちろん、印刷機は、任意の台数設けられていてよい。
【０１２２】
また、プルーフ出力条件としては、カラープルーフが出力される感光材料の種類が例示されていた。この場合、出力条件／カラー情報対照表として、色の種類と感光材料の種類とに対応付けられたカラー情報を設定登録するようにすればよい。具体的には、例えば、感光材料１００Ａおよび１００Ｂ（不図示）が設けられている場合、特色名ＳｐｏｔＣｏｌｏｒ １、ＳｐｏｔＣｏｌｏｒ ２、ＳｐｏｔＣｏｌｏｒ ３、・・・のそれぞれの特色に対し、感光材料１００Ａに印刷するときの表現を再現するためのカラー情報と、感光材料１００Ｂに印刷するときの表現を再現するためのカラー情報とを設定すればよい（図８参照）。このようにすれば、感光材料１００Ａ、１００Ｂの種類に拘わらず、色の再現性を向上させることができる。もちろん、感光材料の種類は、任意数であってよい。
【０１２３】
プルーフ出力条件の他の例として、カラープルーフ出力装置の機差が挙げられていた。この場合、出力条件／カラー情報対照表として、色の種類とカラープルーフ出力装置の種類とに対応付けられたカラー情報を設定登録するようにすればよい。具体的には、例えば、カラープルーフ出力装置４Ａおよび４Ｂ（不図示）が設けられている場合、特色名ＳｐｏｔＣｏｌｏｒ １、ＳｐｏｔＣｏｌｏｒ ２、ＳｐｏｔＣｏｌｏｒ ３、・・・のそれぞれの特色に対し、カラープルーフ出力装置４Ａで印刷するときの表現を再現するためのカラー情報と、カラープルーフ出力装置４Ｂで印刷するときの表現を再現するためのカラー情報とを設定すればよい（図９参照）。このようにすれば、カラープルーフ出力装置４Ａ、４Ｂの種類や機差等に拘わらず、色の再現性を向上させることができる。もちろん、画像変換装置３に接続されるカラープルーフ出力装置４は、任意の台数であってよい。
【０１２４】
また、複数の出力条件を用いて、色調整処理を行うこともできる。例えば、印刷機の種類（第１の出力条件）と、感光材料の種類（第２の出力条件）とに応じて、カラー情報を選択するようにしてもよい。この場合、第１の出力条件に応じて選択されたカラー情報と、第２の出力条件に応じて選択されたカラー情報とに含まれる各数値の平均値を求めるなど、複数のカラー情報に所定の演算を施すことによって最終的なカラー情報を取得するよう構成することなどができる。
【０１２５】
また、あらかじめ複数の出力条件を備えておき、ユーザの操作等により、これらを切り換えて使用するように構成してもよい。
【０１２６】
以上説明した構成は、本発明の実施形態の一例に過ぎないものであり、本発明の主旨を逸脱しない限りにおける変形や追加を適宜施すことが可能である。
【図面の簡単な説明】
【０１２７】
【図１】本発明に係る画像出力システムの実施の形態の全体構成の一例を示す概略図である。
【図２】本発明に係る画像出力システムの実施の形態により設定される出力条件／カラー情報対照表の一例を示す図である。
【図３】本発明に係る画像出力システムの実施の形態を構成するカラープルーフ出力装置４の内部構成の概略の一例を示す側面図である。
【図４】本発明に係る画像出力システムの実施の形態によるカラープルーフ出力処理の一例を示すフローチャートである。
【図５】本発明に係る画像出力システムの実施の形態の部分構成の一例を示す概略図である。
【図６】本発明に係る画像出力システムの実施の形態によるカラープルーフ出力処理の一例を示すフローチャートである。
【図７】本発明に係る画像出力システムの実施の形態の変形例により設定される出力条件／カラー情報対照表の一例を示す図である。
【図８】本発明に係る画像出力システムの実施の形態の変形例により設定される出力条件／カラー情報対照表の一例を示す図である。
【図９】本発明に係る画像出力システムの実施の形態の変形例により設定される出力条件／カラー情報対照表の一例を示す図である。
【符号の説明】
【０１２８】
１Ａ〜１Ｃ  画像編集端末
２  ＲＩＰ（Ｒａｓｔｅｒ Ｉｍａｇｅ Ｐｒｏｃｅｓｓｏｒ）
３  画像変換装置
３１  ＣＰＵ
３２  メインメモリ
３０１  設定手段
３０２  条件入力手段
３０３  色情報取得手段
３０４  選択手段
３０５  形成手段
３０６  出力制御手段
３０７  プロセスカラー入力手段
３０８  色分解手段
３３  バッファ
３４  カラー情報メモリ
３５  ハードディスクドライブ（ＨＤＤ）
３６  ユーザインターフェイス
３７  インターフェイス（Ｉ／Ｆ）部
３８  プロセスカラーメモリ
４  カラープルーフ出力装置
４４  光学ユニット
１００  銀塩ペーパー
５  ＣＴＰ（Ｃｏｍｐｕｔｅｒ Ｔｏ Ｐｌａｔｅ）出力装置
６  印刷機
【図１】
2005088443.tif 000003
【図２】
2005088443.tif 000004
【図３】
2005088443.tif 000005
【図４】
2005088443.tif 000006
【図５】
2005088443.tif 000007
【図６】
2005088443.tif 000008
【図７】
2005088443.tif 000009
【図８】
2005088443.tif 000010
【図９】
2005088443.tif 000011